(57)【要約】【課題】開閉扉に付勢される力が開放位置に関わらずほぼ一定であり、付勢される力による開放位置よりさらに大きく開閉扉を開放可能な開閉機構を提供する。【解決手段】情報処理装置であるプリンタ１に備えられた開閉機構は、開閉蓋１０に設けられた支持板２１と、支持板２１に回転自在に軸支された腕部２３と、腕部２３の一端に形成され、規制面２８と当接して腕部２３の回転を規制する規制部２３ａと、腕部２３の規制部２３ａと対極側の他端に形成され、開閉蓋１０が当接して開閉蓋１０の開放位置を規制する係止部２３ｃと、規制部２３ａの近傍と開閉蓋１０のばね受部２４とを懸架し、開閉蓋１０へ開放方向の付勢力を付与するコイルばね２５と、を有することを特徴とする。【選択図】図４
2009274249.tif 000002
【特許請求の範囲】
【請求項１】
筐体に開閉自在に設けられた開閉蓋を開閉するための開閉機構であって、
前記開閉蓋に設けられ、前記開閉蓋へ開放方向の付勢力を付与し且つ前記開閉蓋の開放位置を規制する開放部と、
前記開閉蓋を閉止位置に保持する閉止部と、を有することを特徴とする開閉機構。
【請求項２】
請求項１に記載の開閉機構において、
前記開放部は、
前記開閉蓋に設けられた支持部と、
前記支持部に回転自在に軸支された腕部と、
前記腕部の一端に形成され、前記筐体と当接して前記腕部の回転を規制する規制部と、
前記腕部の他端に形成され、前記開閉蓋が当接して前記開閉蓋の開放位置を規制する係止部と、
前記規制部の近傍と前記開閉蓋とを懸架し、前記開閉蓋へ開放方向の付勢力を付与する付勢部と、を有することを特徴とする開閉機構。
【請求項３】
請求項１または２に記載の開閉機構において、
前記開閉蓋および前記腕部は、一直線上に形成されている軸支部によりそれぞれ軸支されていることを特徴とする開閉機構。
【請求項４】
請求項３に記載の開閉機構において、
前記付勢部は、前記開閉蓋の開放時には、前記開閉蓋の閉止時に比べて、前記軸支部から離反して位置し且つ前記開閉蓋への付勢力が小さくなるように配置されたコイルばねであることを特徴とする開閉機構。
【請求項５】
開閉蓋が設けられた筐体を有する情報処理装置であって、
請求項１から４のいずれか一項に記載の開閉機構を備えていることを特徴とする情報処理装置。
【請求項６】
請求項５に記載の情報処理装置において、
印刷がなされる印刷媒体へ押圧を付与するためのローラが前記開閉蓋に設けられているプリンタであることを特徴とする情報処理装置。
【発明の詳細な説明】
【技術分野】
【０００１】
本発明は、蓋の開放または閉止をするための開閉機構およびこの開閉機構を備えた情報処理装置に関する。
【背景技術】
【０００２】
従来、情報処理装置としてのプリンタにおいて、外装ケースに設けられた蓋である開閉蓋を閉じることにより、開閉蓋の開閉と連動しているローラで印刷用紙を記録ヘッドへ搬送し、印刷用紙へ印刷を行うタイプのものが知られている。プリンタへの印刷用紙のセットは、開閉蓋を開放した状態で行われるため、エジェクトボタンを押すと、閉止している開閉蓋がばね等を用いた付勢機構の付勢力によって開放される機構構成となっている。特許文献１では、印刷用紙としてロール紙を用いて、サーマルヘッドによって印刷をするプリンタが示されている。
【０００３】
【特許文献１】特開２００６−３１５１８２号公報
【発明の開示】
【発明が解決しようとする課題】
【０００４】
しかし、従来の技術では、開閉蓋の開放角度が大きくなるほど、開放位置と閉止位置とにおける付勢機構による付勢の力の差が大きく、開閉蓋を閉じる際には、開閉蓋へ加える力を付勢の力に抗して加減しなければならない煩わしさと、感覚的な違和感とがあった。また、開閉蓋が開放された位置で係止されているため、印刷用紙のセット以外の例えばメンテナンス等において、開閉蓋をより大きく開放したい場合、付勢機構または外装ケース等を分解しなければならず、容易に行うことができない、という課題があった。
【課題を解決するための手段】
【０００５】
本発明は、上記課題の少なくとも一部を解決するためになされたものであり、以下の適用例または形態として実現することが可能である。
【０００６】
［適用例１］本適用例に係る開閉機構は、筐体に開閉自在に設けられた開閉蓋を開閉するためのものであって、前記開閉蓋に設けられ、前記開閉蓋へ開放方向の付勢力を付与し且つ前記開閉蓋の開放位置を規制する開放部と、前記開閉蓋を閉止位置に保持する閉止部と、を有することを特徴とする。
【０００７】
この開閉機構によれば、開閉蓋は、開放部を介した付勢力によって開放されると共に、開放部を介した規制によって、所定の開放位置に留まるように規制される。つまり、開閉蓋が開放位置に規制された開放時においては、開閉蓋に付与されている開放方向の付勢力が開放部による規制で封じられている。この場合、開放部は、開閉蓋の側に付属して設けられていて、開閉蓋の開放時において、開閉蓋と筐体との相互位置を間接的に規制するためのものであって、開閉蓋を筐体等と直接当接させて開放位置に留めるような規制をしているわけではない。そのため、開閉蓋が開放時の状態であっても、開閉蓋を開放方向へさらに開放することが可能であり、この時、開放部は、開閉蓋に対する付勢および規制の状態を維持したまま開閉蓋のさらなる開放に従動する。このように、開放部を有する開閉蓋は、定常の作業等を行うための開放時の状態から、必要に応じてさらに大きく開放することができ、筐体への物の出し入れや筐体内部のメンテナンス等の非定常作業を行う際などに、作業をしやすくすることが可能である。一方、開放部を有しない開閉蓋では、同様な非定常作業を行う際などに、開閉蓋または筐体の分解等をしなくてはならず、これに比べて、開放部を有する開閉蓋は、そうした分解等によらずにより大きな開放が可能である。そして、開閉蓋の閉止については、開放時の状態から、開放部の付勢力に抗して開閉蓋を閉じれば、閉止部によって開閉蓋の閉止状態が維持される。
【０００８】
［適用例２］上記適用例に係る開閉機構において、前記開放部は、前記開閉蓋に設けられた支持部と、前記支持部に回転自在に軸支された腕部と、前記腕部の一端に形成され、前記筐体と当接して前記腕部の回転を規制する規制部と、前記腕部の他端に形成され、前記開閉蓋が当接して前記開閉蓋の開放位置を規制する係止部と、前記規制部の近傍と前記開閉蓋とを懸架し、前記開閉蓋へ開放方向の付勢力を付与する付勢部と、を有することが好ましい。
【０００９】
この構成によれば、開放部は、支持部に軸支された腕部がその規制部を筐体に当接しており、さらに腕部の係止部と開閉蓋とが当接していない状態において、付勢部の付勢力により開閉蓋を開放するようになっている。また、係止部と開閉蓋とが当接すると、開閉蓋は、その時点で所定の開放位置に係止される。この状態では、開閉蓋、支持部、腕部および付勢部のそれぞれが一体に固定されたようになっていて、開放され自重で閉止しようとする開閉蓋および開放部の動きが筐体に当接している規制部によって阻止され、開閉蓋は、開放位置に留まっている。そして、開放位置における開閉蓋へ付勢部の付勢力に抗する閉止方向の力が加えられると、開閉蓋は、係止部から離反しつつ閉じられ、閉止部によって閉止状態が維持される。この閉止状態において、開閉蓋は、閉止部による閉止状態が解除されると、付勢部の付勢力によって再び開放位置まで開放される。開放された開閉蓋は、係止部に当接することにより、係止部および筐体と当接している規制部からなる腕部によって開放位置に係止されることになる。ここで、開放位置の開閉蓋へさらなる開放方向の力を付与すると、規制部が筐体から離反するため、開閉蓋に一体固定されたような状態のままの開放部も、開閉蓋の開放方向の動きに追随して従動する。これにより、開放部により開放位置に規制された開閉蓋であっても、必要に応じて、さらにより大きく開放することが可能である。
【００１０】
［適用例３］上記適用例に係る開閉機構において、前記開閉蓋および前記腕部は、一直線上に形成されている軸支部によりそれぞれ軸支されていることが好ましい。
【００１１】
この構成によれば、開閉蓋および腕部は、回転するためにそれぞれ軸支部によって軸支されていて、開閉蓋は、筐体に対して開放または閉止するように回転し、腕部は、開閉蓋に設けられた支持部に回転自在に軸支されている。このような構成において、開閉蓋が開放または閉止する際に、開閉蓋の支持部に軸支された腕部の規制部を筐体に安定して当接させるには、開閉蓋および腕部を軸支するそれぞれの軸支部が一直線上に形成されていることが最も好ましい。こうすれば、開閉蓋が回転しても、支持部の軸支部の位置が移動せず、腕部は、規制部と筐体との当接位置がずれるようなことがなく、安定した当接状態を維持することが可能である。そのため、開閉蓋の開閉をよりスムーズに行うことが可能である。
【００１２】
［適用例４］上記適用例に係る開閉機構において、前記付勢部は、前記開閉蓋の開放時には、前記開閉蓋の閉止時に比べて、前記軸支部から離反して位置し且つ前記開閉蓋への付勢力が小さくなるように配置されたコイルばねであることが好ましい。
【００１３】
この構成によれば、開閉蓋の開放時と閉止時とにおいて、付勢部は、軸支部からの距離および付勢力の大きさが異なるように懸架されている。即ち、付勢部の一端は、腕部の規制部の近傍に取り付けられ、付勢部の他端は、軸支部に対して付勢部の一端と反対側に位置するように開閉蓋へ取り付けられている。このような配置の付勢部は、開閉蓋の開閉に応じた伸縮により付勢力の大きさが異なり、開閉蓋の開放時の付勢力が閉止時より小さい。また、付勢部は、開閉蓋の開閉に応じて開閉蓋に取り付けられた他端の側が移動することに伴って、軸支部から離反する距離が異なり、開閉蓋の開放時における離反距離が閉止時における距離より大きい。従って、軸支部を中心に開閉蓋を開放方向へ回転させようとするモーメントは、（距離×付勢力）で表すことができ、開閉蓋の開放時には、距離が大で付勢力が小であり、開閉蓋の閉止時には、距離が小で付勢力が大である。故に、開閉蓋の開放時と閉止時とにおいて、モーメントの差異をほとんどなくすことが可能である。これにより、開放されている開閉蓋を閉止する時、閉止開始から終了までほとんど同じ力の閉止力を付与すれば良く、付与する力を加減する煩わしさや感覚的な違和感を、操作者に与えるようなことがほとんどなくなる。
【００１４】
［適用例５］本適用例に係る情報処理装置は、開閉蓋が設けられた筐体を有するものであって、上記適用例に記載の開閉機構を備えていることを特徴とする。
【００１５】
この情報処理装置によれば、筐体に設けられた開閉蓋が開閉機構を備えていて、開放時の状態においても、開閉蓋を開放方向へさらに開放することが可能である。これにより、情報処理装置は、開閉蓋を、定常の作業等に応じた開放時の状態から、必要に応じてさらに大きく開放することが可能であり、筐体内部のメンテナンス等の非定常の作業をより容易に行うことが可能である。さらに、開閉機構は、開放されている開閉蓋を閉止する時に、開閉蓋の閉止開始から終了まで、ほとんど同じ閉止力を付与すれば良い構成とすることができ、情報処理装置は、実操作的にもまた操作感覚的にもスムーズに且つ違和感なく開閉蓋の閉止を行うことが可能である。
【００１６】
［適用例６］上記適用例に係る情報処理装置は、印刷がなされる印刷媒体へ押圧を付与するためのローラが前記開閉蓋に設けられているプリンタであることが好ましい。
【００１７】
この構成によれば、情報処理装置であるプリンタは、印刷媒体を供給する開閉蓋に開閉機構を設けることにより、開閉蓋の実操作の面および操作感覚の面において、スムーズで違和感のないものであることに加え、さらに、開閉蓋にローラを設けることにより、プリンタは、開閉蓋を開放して供給された印刷媒体を、開閉蓋の閉止に伴い確実に押さえることができ、確実に搬送することが可能である。
【発明を実施するための最良の形態】
【００１８】
以下、情報処理装置における開閉機構について、その具体的な実施形態を図面に従って説明する。本実施形態では、情報処理装置として開閉機構を備えたプリンタを例に説明する。
（実施形態）
【００１９】
図１（ａ）は、本実施形態に係るプリンタを前面側から見た斜視図であり、図１（ｂ）は、プリンタを背面側から見た斜視図である。図１（ａ）に示すように、プリンタ１は、プリンタ１の上部、下部および両側部を形成し印刷部等を収容している外装ケース本体２と、外装ケース本体２の前面側に取り付けられている前面ケース３と、外装ケース本体２の背面側に取り付けられている背面ケース５と、からなる筐体によって外観が構成されている。
【００２０】
外観の一部を構成する前面ケース３は、前面側から見て右下部にプリンタ１の電源をオンまたはオフにするための電源ボタン６と、右上部にプリンタ１を操作するための各種の操作ボタン類が配置された操作部７と、中央上部寄りに印刷済みの印刷用紙（印刷媒体）４０を排出するための用紙排出口８と、用紙排出口８の下部にあって排出された印刷用紙４０をガイドするための排紙ガイド９と、が設けられている。この場合、印刷用紙４０は、いわゆる単票紙である。そして、前面ケース３の排紙ガイド９下方部分は、前面方向へ引き倒すと外装ケース本体２の内部へ連通する開口を出現させる可倒カバー４である。
【００２１】
また、背面ケース５は、図１（ｂ）に示すように、中央上部寄りに開閉可能に設けられ開放時に印刷用紙４０のセットを可能にする開閉蓋１０と、閉止した開閉蓋１０の端部と背面ケース５との間に形成されプリンタ１へ挿入する印刷用紙４０の挿入通路となる用紙挿入口１２と、を有している。そして、開閉蓋１０には、閉止している開閉蓋１０を開放するための蓋開放ボタン１１が設けられている。
【００２２】
次に、図２は、プリンタの開閉蓋を開放した状態を示す斜視図であり、図３は、開閉機構の詳細を示す斜視図である。両図を参照して、プリンタ１に備えられた開閉蓋１０および開閉蓋１０を開閉するための開閉機構について説明する。まず、図２を参照して、開閉蓋１０に係る構成について説明する。開閉蓋１０は、開閉蓋１０の両端部が軸支部２２によって背面ケース５へそれぞれ軸支され、軸支部２２を中心にして回転可能に設けられている。
【００２３】
開閉蓋１０には、背面側から見て左の軸支部２２の近傍に設けられ開閉蓋１０の開放および開放位置を規制するための開放部２０と、用紙挿入口１２（図１（ｂ））を形成する蓋切欠部１２ａと、蓋切欠部１２ａに沿って延在する板状の可動体１６と、可動体１６の両端付近を受部１６ａを介して回転可能に支持する可動体支持板１７と、蓋切欠部１２ａと可動体１６との間に位置し印刷用紙４０を押さえるための押さえローラ１８ａと、が設けられている。
【００２４】
可動体１６は、可動体１６の左端部にＬ字状に設けられ開閉蓋１０を閉止位置に規制するための閉止部１５を構成する係合部１５ａと、可動体１６を右側面側から見て左廻りの方向Ａへ回転させる付勢力を付与する弾性部１６ｂと、係合部１５ａ側に可動体１６と一体に形成されている蓋開放ボタン１１と、を有している。可動体１６は、図１（ｂ）に示す開閉蓋１０の閉止状態において、蓋開放ボタン１１が押されると、弾性部１６ｂの付勢力に抗して右廻りの方向Ｂへ回転するようになっている。
【００２５】
また、背面ケース５において、開閉蓋１０の内面に略対向する面には、蓋切欠部１２ａと共に用紙挿入口１２を形成するケース切欠部１２ｂと、開閉蓋１０が閉止されると押さえローラ１８ａが当接する受ローラ１８ｂと、押さえローラ１８ａおよび受ローラ１８ｂで挟持されて搬送される印刷用紙４０（図１（ｂ））をガイドするための一対の給紙ガイド１３と、印刷用紙４０を外装ケース本体２へ送るための供給開口１４と、係合部１５ａと共に閉止部１５を構成し開閉蓋１０の閉止によりＬ字状の係合部１５ａと係合する係合受部１５ｂと、開放部２０が当接する筐体である規制面２８と、が設けられている。
【００２６】
このような構成において、開閉蓋１０が閉止されると、係合部１５ａと係合受部１５ｂとが係合し、開閉蓋１０は、閉止位置に保持される。そして、蓋開放ボタン１１が押されると、可動体１６の方向Ｂへの回転に伴い、係合部１５ａが係合受部１５ｂとの係合状態から外れるように回転する。これにより、開閉蓋１０は、開放部２０により開放される。この開放部２０の詳細について、以下に説明する。
【００２７】
図３に示すように、開放部２０は、開閉蓋１０の内面に設けられた一対の支持板（支持部）２１と、一対の支持板２１の間に位置し支持板２１のそれぞれに形成されている軸支部２２によって一端を回転可能に軸支された腕部２３と、腕部２３の他端の先端に設けられ規制面２８と当接して腕部２３の回転を規制する規制部２３ａと、規制部２３ａの近傍に設けられたばね受部２３ｂと、支持板２１近傍の開閉蓋１０に設けられたばね受部２４と、規制部２３ａのばね受部２３ｂと開閉蓋１０のばね受部２４とを懸架するコイルばね（付勢部）２５と、を有している。
【００２８】
この場合、支持板２１の軸支部２２は、腕部２３を軸支するだけでなく、背面ケース５側の支持板２１を背面ケース５へ軸支し、さらに、図２に示すように、開閉蓋１０の開放部２０と対極する側も軸支部２２で背面ケース５に軸支されている。これらの軸支部２２は、背面ケース５の左右方向に一直線となるように配置されていて、この配置により、開閉蓋１０の開閉および腕部２３の回転が、互いに干渉することなく、同時に且つスムーズに行える。また、コイルばね２５は、開閉蓋１０のばね受部２４と規制部２３ａのばね受部２３ｂとを互いに引き寄せあう付勢力を付与している。ここでいう開閉機構は、閉止部１５と開放部２０とにより構成される。
【００２９】
次に、このような構成の開閉機構による開閉蓋１０の開閉について説明する。図４は、開放された開閉蓋を示す断面図である。また、図５は、閉止された開閉蓋を示す断面図である。まず、開閉蓋１０が開放されている状態について説明する。この場合、図４に示すように、開閉蓋１０は、閉止部１５の係合が外れ、軸支部２２を中心に回転して所定位置まで開放されている。そして、軸支部２２で軸支されている腕部２３は、コイルばね２５により軸支部２２を中心に回転する付勢を受けているが、規制部２３ａが規制面２８に当接しているため、当接した規制部２３ａにより回転が規制されている。即ち、腕部２３は、軸支部２２と規制部２３ａとの２点で姿勢が規定され、規定されたその姿勢を保った状態である。なお、腕部２３は、軸支部２２に対して規制部２３ａと反対側の端部に係止部２３ｃを有している。
【００３０】
一方、開閉蓋１０は、コイルばね２５の付勢によって、開閉蓋１０のばね受部２４が規制部２３ａの方向へ引かれ、軸支部２２を中心に開放方向へ回転する。開放方向へ回転した開閉蓋１０は、所定位置まで開放されると、開閉蓋１０の内面と腕部２３の係止部２３ｃとが当接し、開閉蓋１０の回転が規制される。回転が規制された開閉蓋１０は、自重によって閉止方向へ回転しようとするが、規制面２８に当接する規制部２３ａにより、回転が阻止され、図４に示す開放位置に保持される。このように、開閉蓋１０が開放されている状態において、印刷用紙４０（図１）を給紙ガイド１３（図２）へセットすることが可能であって、開放部２０は、開閉蓋１０に対して、印刷用紙４０のセットに必要な最小限の開放を許容するものである。
【００３１】
ここで、開閉蓋１０を開放している開放部２０は、係止部２３ｃと開閉蓋１０との当接により、開閉蓋１０と一体に固定されたような状態になっていて、規制部２３ａが開閉蓋１０の閉止方向への回転を規制している。しかし、開閉蓋１０が開放方向へさらに回転させられると、開放部２０は、開閉蓋１０の回転に追随して回転し、規制部２３ａが規制面２８から離反する。従って、開閉蓋１０は、開放部２０による所定の開放位置より、さらに大きく開放することができ、開放部２０や押さえローラ１８ａおよび受ローラ１８ｂ（図２）等のメンテナンスを行うことが容易となる構成となっている。なお、すでに説明した図２および図３は、開放部２０等が分かり易いように、規制部２３ａが規制面２８から離反して開閉蓋１０が大きく開放された状態を示している。
【００３２】
次に、開閉蓋１０を開放位置から閉止する場合について説明する。図５に示すように、開閉蓋１０へ、開閉蓋１０を閉止する方向の閉止力Ｆを付与すると、開閉蓋１０は、軸支部２２を中心にして回転する。このとき、腕部２３は、コイルばね２５の付勢により、規制部２３ａが規制面２８と当接したままの状態であり、開閉蓋１０の開放時と同じ規定の姿勢を保っている。そのため、開閉蓋１０の回転に伴って、開閉蓋１０のばね受部２４が腕部２３のばね受部２３ｂから離反するように回転し、コイルばね２５が伸長して付勢力が強くなっていく。また、腕部２３の係止部２３ｃと当接していた開閉蓋１０の内面が、開閉蓋１０の回転に伴って係止部２３ｃから離反するため、開閉蓋１０は、係止部２３ｃによる係止が解かれて、自在に回転可能な状態になっている。これにより、開閉蓋１０は、閉止力Ｆにより閉止位置まで押されて閉止され、図１（ｂ）に示すような閉止外観になっている。
【００３３】
開閉蓋１０が、完全に閉止された状態においては、図５に示すように、可動体１６に設けられた係合部１５ａと筐体側の係合受部１５ｂとが係合している。係合部１５ａは、弾性部１６ｂ（図２）の付勢力により方向Ａ（図２）の回転が付与されており、係合受部１５ｂとの係合を維持し続けることができる。そのため、開閉蓋１０は、コイルばね２５による開放方向への回転が付与された状態であっても、コイルばね２５の付勢力に抗して閉止位置に留まっていることができる。
【００３４】
このように閉止されている状態の開閉蓋１０を開放するには、まず、蓋開放ボタン１１を押下する。蓋開放ボタン１１の押下により、可動体１６が、受部１６ａを中心にして、弾性部１６ｂ（図２）の付勢力に抗して方向Ｂ（図２）へ回転する。つまり、係合部１５ａと係合受部１５ｂとの係合が外れるように、可動体１６が回転する。係合部１５ａと係合受部１５ｂとの係合が外れると、開放方向へ付勢されている開閉蓋１０は、腕部２３の係止部２３ｃと当接するまで開放方向へ回転し、図４に示すように、開放位置に係止される。
【００３５】
次に、コイルばね２５が開閉蓋１０へ付与する開放方向への付勢力について説明する。図６（ａ）は、開閉蓋を開放した状態の開閉機構を示す断面図であり、図４における状態の詳細を示している。また、図６（ｂ）は、開閉蓋を閉止した状態の開閉機構を示す断面図であり、図５における状態の詳細を示している。開閉機構は、図６（ａ）に示すように開閉蓋１０が開放されている場合、コイルばね２５が縮んだ状態であって、縮んだコイルばね２５は、開閉蓋１０のばね受部２４と腕部２３のばね受部２３ｂとへ、互いを引き寄せ合う付勢力Ｐ１を付与している。この場合、付勢力Ｐ１を付与するコイルばね２５は、開閉蓋１０および腕部２３の双方を軸支する軸支部２２から距離Ｌ１だけ離れて位置している。即ち、軸支部２２を中心に回転可能な開閉蓋１０へは、開閉蓋１０を開放する方向へ（Ｐ１×Ｌ１）のモーメントが作用している。
【００３６】
また、開閉機構は、図６（ｂ）に示すように開閉蓋１０が閉止される場合、開閉蓋１０のばね受部２４が腕部２３のばね受部２３ｂから離反するように回転し、コイルばね２５が伸長していく。伸長したコイルばね２５は、ばね受部２４とばね受部２３ｂとへ、互いを引き寄せ合う付勢力Ｐ２を付与し、この付勢力Ｐ２は、コイルばね２５が伸長した分だけ付勢力Ｐ１より強くなっている。一方、コイルばね２５の位置は、開閉蓋１０のばね受部２４が回転したことによって、ばね受部２４側のみ軸支部２２を中心に回転して、軸支部２２へ接近している。そのため、付勢力Ｐ２を付与しているコイルばね２５は、軸支部２２から距離Ｌ２だけ離れて位置し、この距離Ｌ２は、開閉蓋１０が回転した分だけ距離Ｌ１より短くなっている。即ち、軸支部２２を中心に回転可能な開閉蓋１０へは、開閉蓋１０を開放する方向へ（Ｐ２×Ｌ２）のモーメントが作用している。
【００３７】
ここで、開閉蓋１０の閉止方向への回転に伴って、付勢力Ｐ１は、次第に強くなっていき、閉止時には付勢力Ｐ２となり、軸支部２２とコイルばね２５との距離Ｌ１は、次第に短くなっていき、閉止時には距離Ｌ２となる。従って、コイルばね２５によって開閉蓋１０を開放しようとするモーメントは、（付勢力×距離）のモーメントの値が開閉蓋１０の位置に関わらずほぼ均等であり、付勢力Ｐ１と付勢力Ｐ２との差に比べ極めて小さい。このような開閉機構により、開閉蓋１０は、図６（ａ）に示す開放された状態から図６（ｂ）に示す閉止された状態に至るまで、閉止するために要する閉止力Ｆ（図５）がほぼ均一である。つまり、開閉蓋１０を閉止する操作者は、ほぼ一定の閉止力Ｆで開閉蓋１０を閉止することができる。
【００３８】
次に、このような構成のプリンタ１が、背面ケース５側から挿入された印刷用紙４０へ印刷して、前面ケース３側へ排出する手順について説明する。図７は、印刷用紙の搬送経路を示す断面図である。図７は、開閉蓋１０を閉止したプリンタ１を示し、印刷用紙４０の搬送経路Ｒを表している。プリンタ１は、搬送経路Ｒに沿って、用紙挿入口１２と、開閉蓋１０に設けられている押さえローラ１８ａと、押さえローラ１８ａと協働して印刷用紙４０を挟持する受ローラ１８ｂと、給紙ガイド１３および供給開口１４と、供給開口１４から外装ケース本体２へ印刷用紙４０を橋渡しする搬送ブリッジ３７と、を有している。
【００３９】
そして、プリンタ１は、さらに、挿入された印刷用紙４０を搬送するためモータ（不図示）と連結した搬送ローラ３６ａおよび搬送ローラ３６ａに従動する従動ローラ３６ｂと、キャリッジ３２に設けられたインクジェットヘッド３１がキャリッジ軸３３に沿って印刷用紙４０の搬送方向と直角方向へ移動して印刷用紙４０へ印刷をする印刷部３０と、印刷部３０と対向して配置されているプラテン３５と、図８を参照して後述する切断部５５と、用紙排出口８と、排紙ガイド９と、を有している。
【００４０】
このプリンタ１による印刷の手順は、まず、開閉蓋１０を図４に示すように開放して、給紙ガイド１３、供給開口１４および搬送ブリッジ３７を介して印刷用紙４０をセットする。印刷用紙４０のセット後、開閉蓋１０を閉止し、印刷用紙４０を押さえローラ１８ａと受ローラ１８ｂとで挟持する。次いで、操作部７（図１）を操作することにより、搬送ローラ３６ａと従動ローラ３６ｂとが印刷用紙４０を印刷部３０へ搬送し、印刷用紙４０へ印刷が行われる。印刷がなされた印刷用紙４０は、用紙排出口８から排出される。
【００４１】
また、プリンタ１は、単票紙である印刷用紙４０への印刷だけでなく、ロール紙への印刷も可能なものである。図８は、ロール紙をセットしたプリンタの断面を示す斜視図である。図８に示すように、印刷部３０は、キャリッジ３２の移動に柔軟に対応して信号を送るためのフレキシブル基板３９と、フレキシブル基板３９に沿って配置されインクジェットヘッド３１へインクを供給するための供給チューブ３０ａとを有している。このプリンタ１へロール紙５０をセットする場合、可倒カバー４を前面側へ引き倒し、用紙排出口８の下部に開口を出現させる。可倒カバー４を引き倒すと、排紙ガイド９とプラテン３５とプラテン３５に対して排紙ガイド９と対極側に配置されているテンションガイド３８とが可倒カバー４と共に引き出される。
【００４２】
そして、出現した開口から外装ケース本体２の内部へロール紙５０をセットし、ロール紙５０の一端を用紙排出口８へ引き出した後、可倒カバー４を元に戻す。これにより、ロール紙５０は、図７に示す搬送経路Ｒにおいて、テンションガイド３８に沿って、搬送ローラ３６ａおよび従動ローラ３６ｂへ導かれる。以降、印刷用紙４０と同様に印刷部３０で印刷され、用紙排出口８から排出されるが、ロール紙５０の場合は、切断部５５により所定の長さに切断された後に排出される。このように、プリンタ１は、単票紙である印刷用紙４０だけでなく、ロール紙５０への印刷も可能な情報処理装置である。
【００４３】
以下、プリンタ１に係る実施形態の主な効果をまとめて記載する。
【００４４】
（１）プリンタ１の開閉機構は、開放部２０と閉止部１５とを有し、開放部２０により開放された開閉蓋１０は、開放部２０の腕部２３に設けられた係止部２３ｃに当接して開放位置に係止される。開放部２０は、開閉蓋１０に設けられていて、開閉蓋１０の開放時には開閉蓋１０に一体固定されたような状態であって、開閉蓋１０へさらなる開放方向の力を付与すると、開閉蓋１０の開放方向の動きに追随して従動する。これにより、開放部２０により開放された開閉蓋１０は、必要に応じて、さらにより大きく開放することができ、開閉機構のメンテナンス等の非定常的な作業を容易に行えるようになる。
【００４５】
（２）開閉蓋１０および腕部２３は、軸支部２２を中心に回転する構成であり、開閉蓋１０と腕部２３とに懸架されたコイルばね２５により、開閉蓋１０へ付勢する力が付与されている。コイルばね２５は、その付勢する力が開閉蓋１０の開放につれて次第に縮んで小さくなっていき、軸支部２２からの距離が開閉蓋１０の開放につれて大きくなっていく。従って、軸支部２２を中心に開閉蓋１０を開放方向へ回転させようとするモーメント（距離×付勢力）は、開閉蓋１０の開放時には、距離Ｌ１が大で付勢力Ｐ１が小であり、開閉蓋１０の閉止時には、距離Ｌ２が小で付勢力Ｐ２が大であるため、その結果として、モーメントの差異をほとんどなくすことが可能である。これにより、開放されている開閉蓋１０を閉止する時、閉止終了までほぼ同一の閉止力Ｆを付与すれば良く、閉止力Ｆを加減する煩わしさやそれによる感覚的な違和感を、操作者に与えることがほとんどない。
【００４６】
（３）プリンタ１は、開閉蓋１０を閉止すると、開閉蓋１０に設けられている押さえローラ１８ａと筐体に設けられている受ローラ１８ｂとで印刷用紙４０を挟持できる構成である。これにより、印刷用紙４０は、搬送ローラ３６ａにより搬送される際に、搬送ローラ３６ａと押さえローラ１８ａとの間で張力が付与され、弛むことなくスムーズに搬送される。
【００４７】
また、開閉機構を備えたプリンタ１は、上記の実施形態に限定されるものではなく、次に挙げる変形例のような形態であっても、実施形態と同様な効果が得られる。
【００４８】
（変形例１）プリンタ１の用紙挿入口１２から挿入する印刷用紙４０は、単票紙だけでなく、単票紙が折り畳まれた状態で連続する連続用紙であっても良い。この場合、連続して印刷ができるだけでなく、ロール紙５０を用いた場合のように丸まって排出されることを解消できる。
【００４９】
（変形例２）開閉蓋１０は、背面ケース５側に設けることに限定されず、操作部７を有する前面ケース３側に設けても良い。こうすれば、給紙しながら操作部７の操作がしやすくなる。
【００５０】
（変形例３）開放部２０の付勢部は、コイルばね２５に限定されることなく、ばね受部２３ｂ，２４の間に懸架され付勢力を付与できるものであれば良い。例えば、付勢部として弾性樹脂、板ばね等も該当する。
【００５１】
（変形例４）閉止部１５は、開閉蓋１０に設けられた係合部１５ａが蓋開放ボタン１１と連動して可動し、閉止状態の解除をする構成であるが、筐体側の係合受部１５ｂが可動する構成であっても良い。この場合、蓋開放ボタン１１も筐体側に設けられる。また、閉止部１５は、開閉蓋１０の閉止および閉止解除ができれば、Ｌ字状の形状に限定されない。
【００５２】
（変形例５）プリンタ１は、用紙挿入口１２から供給される印刷用紙４０と、外装ケース本体２に収容されているロール紙５０とへ印刷可能な構成であるが、印刷用紙４０への印刷専用の構成であっても良い。この場合、ロール紙５０は、筐体の外側に取り付けられ用紙挿入口１２から供給される。これにより、プリンタ１は、よりコンパクトな構成となる。
【００５３】
（変形例６）開閉蓋１０の近傍側に設けられている押さえローラ１８ａおよび受ローラ１８ｂは、いずれかが駆動可能なローラであっても良い。これにより、印刷用紙４０の搬送がよりスムーズに行える。
【図面の簡単な説明】
【００５４】
【図１】（ａ）本実施形態に係るプリンタを前面側から見た斜視図、（ｂ）プリンタを背面側から見た斜視図。
【図２】プリンタの開閉蓋を開放した状態を示す斜視図。
【図３】開閉機構の詳細を示す斜視図。
【図４】開放された開閉蓋を示す断面図。
【図５】閉止された開閉蓋を示す断面図。
【図６】（ａ）開閉蓋を開放した状態の開閉機構を示す断面図、（ｂ）開閉蓋を閉止した状態の開閉機構を示す断面図。
【図７】印刷用紙の搬送経路を示す断面図。
【図８】ロール紙をセットしたプリンタの断面を示す斜視図。
【符号の説明】
【００５５】
１…情報処理装置としてのプリンタ、２…外装ケース本体、３…前面ケース、４…可倒カバー、５…筐体としての背面ケース、８…用紙排出口、９…排紙ガイド、１０…開閉蓋、１１…蓋開放ボタン、１２…用紙挿入口、１３…給紙ガイド、１４…供給開口、１５…閉止部、１５ａ…係合部、１５ｂ…係合受部、１８ａ…ローラとしての押さえローラ、１８ｂ…受ローラ、２０…開放部、２１…支持部としての支持板、２２…軸支部、２３…腕部、２３ａ…規制部、２３ｂ…ばね受部、２３ｃ…係止部、２４…ばね受部、２５…付勢部としてのコイルばね、２８…筐体としての規制面、４０…印刷媒体としての印刷用紙。
【図１】
2009274249.tif 000003
【図２】
2009274249.tif 000004
【図３】
2009274249.tif 000005
【図４】
2009274249.tif 000006
【図５】
2009274249.tif 000007
【図６】
2009274249.tif 000008
【図７】
2009274249.tif 000009
【図８】
2009274249.tif 000010